(57)【要約】【課題】  構造が簡単であり、かつ接点溶着時にはハンドルをオフ方向へ回動させてもハンドルのオン表示部が器体内に収納されず、もって構造の簡素化が図れる開閉器を提供する。【解決手段】器体１はハンドル穴４を有する。ハンドル７はハンドル穴４から突出し操作部８を有し、操作部８に隣設されたオン表示部９を有し、さらにハンドル７上で互いに隣接する係止孔１３および引掛部２０を有して捩じりコイルばね１２によりオン位置またはオフ位置に保持される。駆動部材２４は引掛部２０に係合する突起２６を有し器体１に往復移動自在に支持されて操作部８のオンオフ操作により駆動される。可動接触子３０は駆動部材２４に保持されて固定接点３６に対向する可動接点３１を有する。【選択図】        図１
2006236659.tif 000002
【特許請求の範囲】
【請求項１】
ハンドル穴を有する器体と、前記器体内に回動自在に軸支されて前記ハンドル穴から突出しオン位置とオフ位置との間を回動可能な操作部を有し、前記操作部の回動方向の一方に隣設されて前記オン位置で前記ハンドル穴から露出するオン表示部を有し、さらにばね係止部および駆動部材係合部を有するハンドルと、前記ばね係止部に一端を係止するとともに前記器体に他端を係止し前記ハンドルの回動支点と前記他端とを結ぶ直線を前記一端が越えるように前記ハンドルが回動する毎に前記ハンドルを反転させる反転ばねと、前記駆動部材係合部に係合する被係合部を有し前記器体に往復移動自在に支持されて前記操作部のオンオフ操作により往復駆動される駆動部材と、前記器体に固定された固定接点と、前記駆動部材に保持されて前記固定接点に対向する可動接点を有し前記オンオフ操作により前記可動接点が前記固定接点と接離する可動接触子とを備えた開閉器において、
前記ばね係止部と前記駆動部材係合部とを前記ハンドルの回動支点に対して同じ片側に配置したことを特徴とする開閉器。
【請求項２】
前記器体は前記操作部の前記オンオフ操作の方向となる両端に入出力端子を配設し、前記可動接触子は前記入出力端子を結ぶ方向に延び、その一端に前記可動接点を固着し他端に前記入出力端子の一方と接続される可撓電線を接続し、駆動部材は前記可動接触子の前記可撓電線の接続位置と前記可動接点との間を保持し、前記反転ばねは前記駆動部材よりも前記可動接点側に配設された請求項１記載の開閉器。
【発明の詳細な説明】
【技術分野】
【０００１】
本発明は、ハンドルの開閉操作により電路に介在した接点を開閉駆動する開閉器に関する。
【背景技術】
【０００２】
接点に異常電流が流れたときに接点を強制開極させる回路遮断器（例えば特許文献１参照）は、ハンドルにリンクおよび作動子を介して駆動部材を連動させ、この駆動部材で可動接触子を駆動して可動接点を固定接点に接離させ、異常電流が流れたときには異常電流検出装置で検出して引外し装置を作動し、作動子と引外し装置との係合状態を解除して、ばねの作用で可動接点を固定接点から強制開極させるようになっている。またハンドルにはオン状態で器外に露出し、オフ状態で器内に隠れるオン表示部が設けられている。
【０００３】
ところで、異常電流が流れたときに接点を強制開極させる機能が不要な場合、すなわち接点を開閉するだけの機能で良い場合には、このような複雑な構造にする必要はなく、ハンドルと駆動部材との間をリンクのみで連結した構成が考えられる。
【０００４】
しかしながら、ハンドルに連結されたリンクの一端が、駆動部材に連結されるリンクの他端とハンドルの回動支点とを結ぶ直線を越えたときにハンドルが反転する方式では、可動接点が固定接点に溶着したときでも、溶着したままハンドルをオフ方向へ操作可能であり、このためオフ方向に操作されると、ハンドルのオン表示部が器体内に収納される位置まで移動してしまう。
【０００５】
IEC規格によると、接点溶着時には必ず接点閉状態を表示しなければならない。このため、上記構成においても、ハンドルのオン表示部が器体内に移動しないようにするか、接点が溶着している状態を表示するようにしなければならない。
【０００６】
後者の場合、ハンドルにリンクを介して駆動部材を駆動させる方法では、接点溶着状態を表示する別部材が必要となり、構造が複雑になってしまうという問題があった。
【特許文献１】特開2000−40458号
【発明の開示】
【発明が解決しようとする課題】
【０００７】
本発明は、かかる事由に鑑みて成されたものであり、その目的とするところは、構造が簡単であり、かつ接点溶着時にはハンドルをオフ方向へ回動させてもハンドルのオン表示部が器体内に収納されず、もって構造の簡素化が図れる開閉器を提供することにある。
【課題を解決するための手段】
【０００８】
本発明の開閉器は、器体がハンドル穴を有する。ハンドルは、前記器体内に回動自在に軸支されて前記ハンドル穴から突出しオン位置とオフ位置との間を回動可能な操作部を有し、前記操作部の回動方向の一方に隣設されて前記オン位置で前記ハンドル穴から露出するオン表示部を有し、さらにばね係止部および駆動部材係合部を有する。反転ばねは、前記ばね係止部に一端を係止するとともに前記器体に他端を係止し前記ハンドルの回動支点と前記他端とを結ぶ直線を前記一端が越えるように前記ハンドルが回動する毎に前記ハンドルを反転させる。駆動部材は、前記駆動部材係合部に係合する被係合部を有し前記器体に往復移動自在に支持されて前記操作部のオンオフ操作により往復駆動される。固定接点は前記器体に固定されている。可動接触子は、前記駆動部材に保持されて前記固定接点に対向する可動接点を有し前記オンオフ操作により前記可動接点が前記固定接点と接離する。そして、前記ばね係止部と前記駆動部材係合部とを前記ハンドルの回動支点に対して同じ片側に配置している。
【０００９】
上記構成において、前記器体は前記操作部の前記オンオフ操作の方向となる両端に入出力端子を配設し、前記可動接触子は前記入出力端子を結ぶ方向に延び、その一端に前記可動接点を固着し他端に前記入出力端子の一方と接続される可撓電線を接続し、駆動部材は前記可動接触子の前記可撓電線の接続位置と前記可動接点との間を保持し、前記反転ばねは前記駆動部材よりも前記可動接点側に配設されている。
【発明の効果】
【００１０】
本発明の開閉器によれば、可動接点が固定接点に溶着した際、ハンドルを回転させようとするとハンドルが駆動部材に引っ掛かりハンドルのオン表示部が器体内に収納されず、接点溶着状態にありながらハンドルがオン表示位置から移動するのを防止することができる。このため、接点溶着状態を表示する別部材が不要であるので構造が簡単になる。また、ばね係止部と駆動部材係合部とはハンドルに隣接配置されているため、ばね係止部と駆動部材係合部とが離れた場所に設けられる場合と比較して、器体内のスペースを有効に使用でき、小型化を図る際に有利である。
【００１１】
また、可動接触子の可動接点と反対側に網組線を配置し、反転ばねを可動接点側に配置すると、オンオフ動作に伴って網組線と反転ばねとが干渉せず、もってハンドルをスムーズに操作することができる。
【発明を実施するための最良の形態】
【００１２】
本発明の一実施の形態の開閉器を図１から図３により説明する。本開閉器は、器体１、ハンドル７、反転ばねである捩じりコイルばね１２、駆動部材２４、可動接触子３０、固定接点３６を有する。
【００１３】
器体１は両側に入出力端子２、３を配設し、上面にハンドル穴４を形成している。器体１の下面にはレール取付け用の固定爪５および可動爪６を相対向している。
【００１４】
ハンドル７は、略半円柱状をなし、その平面部１６の中央に軸受け部１５を形成し、軸受け部１５を軸１１に軸支させ、軸１１が器体１の上面のハンドル穴４の内側に支持されている。軸１１は入出力端子２、３間を結ぶ方向と直角である。ハンドル７の円弧面１７の略中央部にハンドル穴４から突出する操作部８を設け、操作部８が入出力端子２、３間を結ぶ方向に回動する。また円弧面１７上の操作部８の両側にオン表示部９およびオフ表示部１０を設けている。これらは、操作部８のオンオフ操作により一方が器体１のハンドル穴４から露出し、他方が器体１内に収納されることによりオンまたはオフ状態を表示する。さらに、ハンドル７は、ばね係止部および駆動部材係合部を軸１１に対して同じ片側に配置しかつ相互に隣接している。この場合、ばね係止部として、後述の捩じりコイルばね１２の一端を係止する係止孔１３が形成された脚片１４を軸受け部１５から平面部１６に沿ってオフ表示部１０側の端部より突出した状態に延出している。また駆動部材係合部として、脚片１４に隣接して切欠き状の引掛部２０を形成している。
【００１５】
反転ばねである捩じりコイルばね１２は、ハンドル７の脚片１４の係止孔１３に一端１２ａの折曲部を係止するとともに器体１の出力端子３の上側の側壁の内側に設けたばね受け部２１に他端１２ｂの折曲部を係止し、ハンドル７の軸１１の中心とばね受け部２１に係止される他端１２ｂとを結ぶ直線２２に対して一端１２ａが上下に移動する毎にハンドル７を反転させる。捩じりコイルばね１２は、器体１の入出力端子２、３間の方向で駆動部材２４よりも可動接点３１側に配設されている。
【００１６】
駆動部材２４は、器体１内のハンドル７の垂直下方に設けたガイド２５にハンドル７に接近離間する上下方向に直線移動自在に支持されており、側面に可動接触子を保持するための保持手段例えば係合溝２８を有する。駆動部材２４の上端部には引掛部２０に係合する被係合部例えば突起２６を設け、ハンドル７のオン操作により突起２６を介して駆動部材２４が押圧駆動され、ガイド２５に沿って下方に移動し、またハンドル７の操作部８をオフ操作することによるハンドル７の回動により駆動部材２４が上方向に移動する。この引掛部２０はハンドル７を後述のように可動接点３１が固定接点３６に接触した閉極状態から開離する方向に回転させた際、ハンドル７のオン表示部９が器体１内に収納される位置に移動するまでに駆動部材２４に引っ掛かる構成としている。２７は駆動部材２４の下端部に当接するストッパである。
【００１７】
可動接触子３０は板状であり、その中間部が係合溝２８に係合し、先端部に可動接点３１を有し、後端部に可撓電線たとえば網組線３２の一端が溶接などにより接続されている。また可動接触子３０の係合溝２８に支持された部分よりも網組線３２側を接点圧ばね３３で押し上げている。接点圧ばね３３は器体１の内側面に設けた収容部３４に支持されている。網組線３２の他端は入力端子２の内端２ａに溶接等により接続されている。この内端２ａは器体１の内側面に形成された溝に支持されている。
【００１８】
固定接触子３５は基端部が出力端子３に接続され、側部が器体１の内側面に形成した溝に支持され、可動接点３１に対向する固定接点３６を先端に有する。駆動部材２４が押圧駆動されたときには可動接点３１が固定接点３５に接触するとともに駆動部材２４の押圧駆動が開放されたときには可動接点３１が固定接点３５から開離する。
【００１９】
本開閉器の動作について説明する。図１はオン状態であり、ハンドル７の操作部８はハンドル穴４の出力端子３側の端部４ａに位置し、捩じりコイルばね１２の一端１２ａは直線２２の下側に位置しているため、ハンドル７の操作部８がハンドル穴４の端部４ａに係止した状態に支持され、捩じりコイルばね１２のばね力によって駆動部材２４を接点圧ばね３３に抗して押圧駆動するとともに、接点圧ばね３３の圧縮による作用で可動接触子３０を係合溝２８を支点に回動させ、これによって、可動接点３１が固定接点３６に接点圧を付与された状態に接触している。
【００２０】
図２は器体１の平面図であり、オン状態におけるハンドル７の操作部８とオン表示部９がハンドル穴４より露出しており、開閉器がオン状態であることがわかる。
【００２１】
図３はオフ状態であり、図１のオン状態から操作部８をハンドル穴４の入力端子２側の端部４ａに倒している。操作部８をオン状態からオフ状態に回動させるとき、捩じりコイルばね１２の一端１２ａが直線２２を越えて移動するため、捩じりコイルばね１２のばね力によりハンドル７を反時計方向に付勢し、操作部８を図３に示すようにオン時と反対側の端部４ｂに係止させる。ハンドル７の回動に伴って、駆動部材２４がガイド２５に沿って引き上げられ、可動接点３１が固定接点３６から離れる。接点圧ばね３３も圧縮から開放される。またハンドル７のオフ状態ではオン表示部９が器体１内に入り込んで隠れた状態となり、オフ表示部１０がハンドル穴４に露出する。
【００２２】
また図１のオン状態で接点溶着が生じた場合、ハンドル７をオフ操作してもハンドル７がオフ側へ回動することができないので、オン表示部９がハンドル穴４から露出したままとなり、オン状態を表示し続けることとなる。仮にハンドル７を強く押した結果、接点溶着が解離できた場合には、図３のハンドル７がオフ状態へ回動するため、オン表示部９は器体１内に隠れ、オフ表示部１０が器体１外に現れる。
【００２３】
本実施の形態によれば、接点溶着状態を表示する別部材が不要であるので構造が簡単になる。すなわち、可動接点３１が固定接点３６に溶着した際、ハンドル７を回動させようとするとハンドル７が駆動部材２４に引っ掛かりハンドル７のオン表示部９が器体１内に収納されず、接点溶着状態にありながらハンドル７がオン表示位置から移動するのを防止できる。また、捩じりコイルばね１２を係止する脚片１４に、駆動部材２４を係止する引掛部２０が形成されているので、捩じりコイルばね１２を係止する脚片１４とは別の場所に駆動部材２４に引っ掛かる部材を形成する必要がなく、もって器体１のスペースを有効に使用できる。
【００２４】
また、網組線３２と振りコイルばね１２とが駆動部材２４を間にして反対側に位置しているため、これらが互いに干渉せず、もってハンドル７をスムーズに操作することができる。
【００２５】
なお、本発明において、入力端子２と出力端子３とは前者を出力端子とし、後者を力端子としてもよい。
【図面の簡単な説明】
【００２６】
【図１】本発明の一実施の形態の開閉器のオン状態の断面図である。
【図２】開閉器の平面図である。
【図３】開閉器のオフ状態の断面図である。
【符号の説明】
【００２７】
１    器体    
２    入力端子
３    出力端子
４    ハンドル穴
７    ハンドル  
８    操作部
９    オン表示部
１０    オフ表示部
１２    捩じりコイルばね
１３    係止孔
１４    脚片
２０    引掛部
２２    直線
２４    駆動部材
２６    突起
３０    可動接触子
３１    可動接点
３２    網組線
３６    固定接点
【図１】
2006236659.tif 000003
【図２】
2006236659.tif 000004
【図３】
2006236659.tif 000005